(57)【要約】【課題】小さく折り畳みでき、かつ荷物を載せて安定走行できる。【解決手段】物品運搬具３０は、基体１の上縁３に把持部予定片５ａ、５ａを連設し、下端部のキャスター取り付け部８にキャスター１１、１１を取り付けてなる。基体１は、下端側が幅広の本体部１Ａと、縦折り曲げ部１２を介して連設した補強片１Ｂ、１Ｂとからなる（ａ）。物品運搬具３０を横折り曲げ部１６、１６で小さく折り畳み収容状態にでき（ｂ）、組み立てて運搬状態にして第一荷物係止部２１、第二荷物係止部２３に荷物を係止して運搬できる（ｃ）。【選択図】図１
2010179788.tif 000002
【特許請求の範囲】
【請求項１】
以下のように構成したことを特徴とする折り畳み可能な物品運搬具。
(1) 板状の基体の下端部に接地部を形成し、上端部に把持部を形成する。
(2) 前記基体は、第一の変形で保管状態とし、第二の変形で使用状態とすることができる。
(3) 前記基体または前記把持部に、使用状態で荷物を保持できる保持部を形成する。前記基体で、下端部から上端部にかけて、両縁側を補強片として、補強片に挟まれた部分を本体部とする。
(4) 前記基体は、使用状態で、前記補強片を折り曲げて、前記本体部に対して角度を持って立設可能とする。
(5) 前記本体部は下端側が巾広で、上端側が巾狭に形成する。
(6) 前記基体は、前記本体部を横断する複数の横折り曲げ部を形成し、前記基体は、保管状態で前記把持部と前記接地部とが重なり又は近づくように、折り畳み可能とするように前記横折り曲げ部を形成した。
【請求項２】
以下のように構成したことを特徴とする折り畳み可能な物品運搬具
(1) 板状の基体の下端部に接地部を形成し、上端部に把持部を形成する。
(2) 前記基体は、第一の変形で保管状態とし、第二の変形で使用状態とすることができる。
(3) 前記基体または前記把持部に、運搬対象を保持できる保持部を形成する。前記基体で、下端部から上端部にかけて上下方向の縦折り曲げ部を２本形成し、両縦折り曲げ部の間隔を上端部で狭く、下端部で広く形成した。
(4) 前記基体は、使用状態で、前記縦折り曲げ部で前記補強片を折り曲げて、前記本体部に対して角度を持って立設可能とする。
(5) 前記基体は、前記縦折り曲げ部を横断する複数の横折り曲げ部を形成し、前記基体は、保管状態で前記把持部と前記接地部とが重なり又は近づくように、折り畳み可能とするように前記横折り曲げ部を形成した。
【請求項３】
以下のように構成したことを特徴とする請求項１又は２記載の物品運搬具。
(1) 接地部を２つのキャスターとし、
(2) 基体に凹入部を形成して、該凹入部に、前記基体の表裏両面を跨ぐように前記キャスターを固定した。
(3) 保管状態で、前記キャスターを内側にした状態で、折り畳み可能となるように、横折り畳み部を形成した。
(4) 保管状態で、前記基体を折り畳んだ際に、前記キャスターが基体の表面又は裏面に当たらないように、前記基体にキャスター挿入用の開口部を形成した。
【請求項４】
本体部と補強片の境界又は縦折り曲げ部は、直線に対して外側に凸の曲線で形成した請求項１又は２記載の物品運搬具。
【発明の詳細な説明】
【技術分野】
【０００１】
本発明は、通常は閉じてバッグ等に収容して、例えば買い物で荷物が発生したならば、取り出して、開いて荷物などを容易に運搬できるように構成した物品運搬具に関するものである。
【背景技術】
【０００２】
従来の物品運搬具では、伸縮する棒状フレームの下端に車輪を２つ付けて構成したショッピングカートがあった（特許文献１）。また、開閉する逆Ｙ字型の両下端部に車輪を設け、布を張り荷物を収容させることができるショッピングカートもあった（特許文献２）。また、袋の下端にキャスター付きの台を連結して、台を２つ折り可能とした携帯用運搬具もあった（特許文献３）。さらに、一枚板の母材に引き手とキャスターを付けたカートも提案されていた（特許文献４）。
【先行技術文献】
【特許文献】
【０００３】
【特許文献１】実開平６−３２２６０号公報
【特許文献２】特開２００２−２３４４４３号公報
【特許文献３】特開平９−２８９９１５号公報
【特許文献４】特開２００４−３１４９１９号公報
【発明の概要】
【発明が解決しようとする課題】
【０００４】
前記従来の内、特許文献１、２で、フレームが棒状であり、使用時に自立はできるが、収容時に棒状のフレームの長さ方向では半分程度に縮めることはできるが、折り畳みに限界があった。
【０００５】
また、特許文献３の発明では台にバッグを載せて運搬する機能しかなく、使用時に袋と握るロープは自立できなかった。また、特許文献４の発明では、母材を折り曲げて使用状態とする旨の記載はあるが、使用状態で保形する提案が具体的になされていない。
【０００６】
従って、前記各発明考案では、バッグに入れられる位に小さく折り畳み、かつ使用時に保形して荷物を運搬できる構成は示されていない。また、いずれの発明考案でも畳んだ場合にはキャスターが露出する問題点があった。
【課題を解決するための手段】
【０００７】
本発明は、長さ方向の折り曲げ線と横方向の折り曲げ線を組み合わせたので、小さく折り畳みかつ使用時に自立できるカートを構成できた。
【０００８】
すなわちこの発明は、以下のように構成したことを特徴とする折り畳み可能な物品運搬具である。  
(1) 板状の基体の下端部に接地部を形成し、上端部に把持部を形成する。  
(2) 前記基体は、第一の変形で保管状態とし、第二の変形で使用状態とすることができる。  
(3) 前記基体または前記把持部に、使用状態で荷物を保持できる保持部を形成する。  
前記基体で、下端部から上端部にかけて、両縁側を補強片として、補強片に挟まれた部分を本体部とする。  
(4) 前記基体は、使用状態で、前記補強片を折り曲げて、前記本体部に対して角度を持って立設可能とする。  
(5) 前記本体部は下端側が巾広で、上端側が巾狭に形成する。  
(6) 前記基体は、前記本体部を横断する複数の横折り曲げ部を形成し、前記基体は、保管状態で前記把持部と前記接地部とが重なり又は近づくように、折り畳み可能とするように前記横折り曲げ部を形成した。
【０００９】
また、他の発明は、以下のように構成したことを特徴とする折り畳み可能な物品運搬具である。  
(1) 板状の基体の下端部に接地部を形成し、上端部に把持部を形成する。  
(2) 前記基体は、第一の変形で保管状態とし、第二の変形で使用状態とすることができる。  
(3) 前記基体または前記把持部に、運搬対象を保持できる保持部を形成する。  
前記基体で、下端部から上端部にかけて上下方向の縦折り曲げ部を２本形成し、両縦折り曲げ部の間隔を上端部で狭く、下端部で広く形成した。  
(4) 前記基体は、使用状態で、前記縦折り曲げ部で前記補強片を折り曲げて、前記本体部に対して角度を持って立設可能とする。  
(5) 前記基体は、前記縦折り曲げ部を横断する複数の横折り曲げ部を形成し、前記基体は、保管状態で前記把持部と前記接地部とが重なり又は近づくように、折り畳み可能とするように前記横折り曲げ部を形成した。
【００１０】
また、前記において、以下のように構成したことを特徴とする物品運搬具である。  
(1) 接地部を２つのキャスターとし、
(2) 基体に凹入部を形成して、該凹入部に、前記基体の表裏両面を跨ぐように前記キャスターを固定した。  
(3) 保管状態で、前記キャスターを内側にした状態で、折り畳み可能となるように、横折り畳み部を形成した。  
(4) 保管状態で、前記基体を折り畳んだ際に、前記キャスターが基体の表面又は裏面に当たらないように、前記基体にキャスター挿入用の開口部を形成した。
【００１１】
さらに、他の発明は、本体部と補強片の境界又は縦折り曲げ部は、直線に対して外側に凸の曲線で形成した物品運搬具である。
【００１２】
この発明は、通常は折り畳んでバッグに収容して、買い物の際に取り出して開いて組み立て、荷物を係止して搬送する用途で使用するが、これに限定するものではない。
【発明の効果】
【００１３】
この発明は、縦折り曲げ部又は他の手段により、本体部と補強片を形成できるので、上端部に把持部、下端部に接地部を有する物品搬送部を構成して、本体部を補強片が保形して、上下全長を使って物品を搬送できる。また、本体部または縦折り曲げ部を横断する横折り曲げ部を形成したので、折り曲げ部により物品搬送部の長い上下方向を分割するように折り畳みでき、コンパクトに収容できる。
【図面の簡単な説明】
【００１４】
【図１】この発明の物品運搬具の斜視図で、（ａ）は開いた状態、（ｂ）は折り畳み状態、（ｃ）は使用状態、をそれぞれ表す。
【図２】この発明の物品運搬具の開いた状態で（ａ）は一面側、（ｂ）は他面側、を表す。
【図３】この発明の物品運搬具の開いた状態で（ａ）は平面図、（ｂ）は底面図、（ｃ）は側面図をそれぞれ表す。
【図４】この発明の物品運搬具の折り畳んだ状態で（ａ）は平面図、（ｂ）は正面図、（ｃ）は底面図、（ｄ）は右側面、（ｅ）は背面図、（ｆ）はＡ−Ａ拡大断面図、（ｇ）はＢ−Ｂ拡大断面図をそれぞれ表す。
【図５】この発明の物品運搬具の使用状態で（ａ）は他面側、（ｂ）は一面側をそれぞれ表す。
【図６】この発明の物品運搬具の使用状態で（ａ）は平面図、（ｂ）は底面図、（ｃ）は右側面図をそれぞれ表す。
【図７】この発明のキャスター及びキャスター取り付け部の拡大断面図で（ａ）は開いた状態または折り畳んだ状態、（ｂ）は使用状態をそれぞれ表す。
【図８】この発明の物品運搬具の使用状態の右側面図である。
【図９】この発明の他の物品運搬具の開いた状態で（ａ）は他面側、（ｂ）は側面図、（ｃ）は一面側をそれぞれ表す。
【図１０】この発明の他の物品運搬具の折り畳んだ状態で（ａ）は平面図、（ｂ）は正面図、（ｃ）は側面図をそれぞれ表す。
【図１１】この発明の他の物品運搬具の使用状態で（ａ）は他面側、（ｂ）は側面図、（ｃ）は一面側をそれぞれ表す。
【発明を実施するための形態】
【００１５】
（１）  物品運搬具３０は、長方形の板状の基体１の上縁３に把持部予定片５ａ、５ａを連設し、下端部のキャスター取り付け部８に、接地部としてのキャスター１１、１１を取り付けて構成する。基体１は、下端側が幅広で上端側が巾狭の本体部１Ａと、本体部１Ａに沿って連設される下端側が巾狭で上端側が幅広の補強片１Ｂ、１Ｂとから構成される（図２）。本体部１Ａと補強片１Ｂとの境界を縦折り曲げ部１２、１２とする。基体１に第一荷物係止部２１、把持部予定片５ａ、５ａに第二荷物係止部２３を形成する。  
また、基体１の水平方向で、本体部１Ａ（または縦折り曲げ部１２）を横断するように、複数の横折り曲げ部１６、１６を形成する（図２、図３（ｃ））。  
また、キャスター１１は基板１を挟んで、即ち両面２、２ａの側にキャスター１１が位置するように、キャスター１１、１１は配置される（図７（ａ））。
【００１６】
（２）  物品運搬具３０は、板状の開き状態（図１（ａ））から、第一の変形として、キャスター１１、１１を中心に巻き込んで、長さ方向（基体１の上縁３から下縁３ａに向けて）を縮めて丸めるように折り畳みできる（図１（ｂ））。また、物品運搬具３０は、板状の開き状態（図１（ａ））から組み立てて使用状態に変形できる（図１（ｃ））。  
折り畳み状態では、キャスター１１、１１が固定されたキャスター取り付け板８を核として巻き込んで、横折り曲げ部１６、１６で折り畳みを構成する（図１（ｂ）、図４）。  
また、使用状態では、本体部１Ａに対して補強片１Ｂが略直角に立設した状態となる。この状態で、側縁４が鉛直になるように配置した場合には、下縁３が接地する。第一荷物係止部２１、第二荷物係止部２３に荷物３４を係止して、キャスター１１側に傾斜させれば、キャスター１１、１１が接地して荷物３４は本体部１Ａの他面２ａに載せられるようにして運搬され、安定走行できる（図７）。
【実施例１】
【００１７】
図面に基づきこの発明の実施例を説明する。
【００１８】
１．物品運搬具３０の構成
【００１９】
（１）  縦長長方形の薄板（厚さｔ０）から基体１を構成し、基体１で折り畳んだ際に内側に巻かれる面を一面２として、折り畳んだ際に外側に配置される面を他面２ａとする。基体１の上縁３に両側に把持部予定片５ａ、５ａを連設する。把持部予定片５ａは手先が入る開口６が形成されている。基体１の高さＨ０、巾Ｄ０とし、例えば、Ｈ０＝５０〜１００ｃｍ程度、Ｄ０＝２０〜４０ｃｍ程度とする。  
基体１の下縁３ａから所定高さＨ１の部分を、略長方形のキャスター取り付け部８とする。キャスター取り付け部８で、材厚に対して（基体１の両面２、２ａを挟んで）、略Ｚ字状に斜めに凹凸させて、キャスター取り付け板９を形成する。キャスター１１の取り付け板９は、上側で一面２側に突出し（他面２ａに対しては凹となる）、下側で他面２ａ側に突出するように、略Ｚ字状に形成される。また、取り付け板９で、キャスター１１、１１の間は基体１の下縁から面一なフラットに形成し、フラットの部分に、横方向に横長開口２９を形成し、横長開口２９の周囲に補強リブを形成する。  
取り付け板９の両側で、一面２で下方に向く面に、キャスター１１、１１を固定する。キャスター１１の下縁１１ａの上下方向の位置が、基体１の下縁３ａより若干上方に位置するように、キャスター１１は固定される。また、取り付け板９の下方に向く面に斜めに取り付くので、キャスター１１（車輪の軸受けを含む）は、基板１の材厚を跨ぐように（基体１の両面２、２ａを挟んで）配置される。  
基板の一面２で、キャスター取り付け部８の上方で、折り畳んだ際に、キャスター１１、１１の外側に位置する位置に、キャスター１１を隠し、及び／又は、キャスター１１の汚れを出さないための塞ぎ板１８、１８を立設する。
【００２０】
（２）  基体１で、上縁３の略中央（両把持部予定片５ａ、５ａの間）から、基体１の下縁３ａに向けて、それぞれ縦折り曲げ線１２、１２を形成する。両縦折り曲げ線１２は、下端部１４で基体１の側縁４と略平行（垂直）に近くとなるように形成され、かつ基体１の中心付近から見て外側上方に向けて凸となるように、曲線で形成される。また、縦折り曲げ線１２は、キャスター取り付け部８の両端部を縦断し、塞ぎ板の外側を通る位置に配置される。また、縦折り曲げ線１２の下端は、基体１の下縁３で、側縁４とから距離Ｄ１離れた位置に至っている。  
また、縦折り曲げ線１２は、折り曲げて、縦折り曲げ線１２を頂点として他面２ａ側を凸にできるような断面に形成される。従って、縦折り曲げ線１２の断面は任意であり、一方の面から切り込みを入れ、また、Ｖ字状、Ｕ字状などの溝を形成し、単なる薄肉部とし、あるいは材質を代えて縦折り曲げ線１２に沿って柔軟な性質の材料から構成することもできる。  
なお、縦折り曲げ線１２は、縦折り曲げ線１２を頂点として、一面２側を凸にできるような断面に形成することもできる（図示していない）。
【００２１】
（３）  基体１で、キャスター取り付け部１１の上縁に沿って（即ち、基体の下縁と略平行に）、第一横折り曲げ線１６ａを形成する。キャスター取り付け部１１を内側にして、基板１を順に折り畳むことができるように、第二横折り曲げ線１６ｂ、第三横折り曲げ線１６ｃ、・・・を順に形成して、基体１の上縁まで形成する。また、把持部予定片５ａ、５ａの基端部（基体１の上縁３寄り）にも横折り曲げ帯１６ｚを形成する。  
各横折り曲げ帯１６は、折り曲げた際に、「４分の１」円を形成して、他面２ａ側を凸にして折り曲げられるような断面で形成される。従って、縦折り曲げ線１２の断面は任意であり、一方の面から１つまたは複数の切り込みを入れ、また、Ｖ字状、Ｕ字状などの溝を形成し、単なる薄肉部とし、あるいは材質を代えて縦折り曲げ線１２に沿って柔軟な性質の材料から構成することもできる。  
なお、横折り曲げ帯１６は、一面２側を凸にして折り曲げられるような断面で形成することもできる（図示していない）。  
また、折り畳んだ際に、キャスター１１、１１が基体１の表面２、２ａに当たらないように、キャスター収容開口１９、１９を形成する。また、最も上側のキャスター収容開口１９の位置で基体１の一面２に、キャスター収容開口１９と同形状のキャスター収容凹部１９ａを形成する。
【００２２】
（４）  基体１で、縦折り曲げ線１２、１２で囲まれた内側を本体部１Ａ、外側をそれぞれ補強片１Ｂ、１Ｂとする。  
本体部１Ａで、上側に、開口２２を形成し、開口２２内に先端を臨む第一荷物係止部２１を連設する。また、把持部予定片５ａ、５ａで、対向する縁に切り欠きを設けて第二荷物係止部２３とする。また、本体部１Ａで、中間部に、使用時に指先を挿入できる横方向の凹部（他面２ａ側から凹部。一面２に対しては凸部）からなる指先係止部２４、２５を上下に２箇所形成する。
【００２３】
（５）  また、補強片１Ｂで、第一荷物係止部と同じ高さに、略半円形の切り欠き２６を形成する。また。補強片１Bで、塞ぎ板１８の高さに対応させて、側縁４から長方形状の切り欠き２７を形成する。また、補強部片１Ｂの下端部で、側縁４と下縁３ａの角部を取るテーパー切り欠き４２を形成する。  
また、本体部１Aで、上端部（縦折り曲げ線１２、１２が交わる付近の若干下側。第一荷物係止部２１の上方）に、フックなど係止金物を取り付けできる小透孔４１を設ける。また、把持部予定片５ａ、５ａの基端部で、他面２ａに対応する側の面に、互いに係脱できるスナップボタン（またはフックなど）２８、２８ａを取り付ける。  
以上のようにして、物品運搬具３０を構成する（図１（ａ）、図２、図３）。
【００２４】
２．折り畳み時
【００２５】
（１）  キャスター取り付け部８を中心（内側）にして、第一横折り曲げ帯１６ａ、第二横折り曲げ帯１６ｂ、・・・と順に折り畳む。
【００２６】
（２）  この際、キャスター１１、１１は、それぞれキャスター収容開口１９、１９、キャスター収容凹部１９a内に収容される。従って、折り畳みが完了した状態で、中心部の基体間の空隙部の厚さＬ３０は、キャスター１１の大きさに比して充分小さく（実施例では３分の１程度）形成できる。  
また、この状態で、把持部予定片は、巾Ｄ０、高さＨ１の表面に密着できる。また、塞ぎ板（高さは空隙部の厚さＬ３０とほぼ一致）１８が形成されているので、折り畳んだ状態の物品運搬具３０からキャスター１１、１１が露出しない。  
また、上側の指先係止部２４の凸は下側の指先係止部２４ａの凹に、下側の指先係止部２４ａの凸はキャスター取り付け板の凹部にそれぞれ入れ子上に重なり、折り畳んだ基板１の面内に収まる（図７（ａ）鎖線図示）。
【００２７】
（３）  したがって、折り畳みが完了した状態で、物品運搬具３０は、
Ｌ１×Ｌ２×Ｌ３
の大きさで形成される。  
ここで、Ｌ１＝Ｄ０
Ｌ２＝Ｈ１＋ｔ０×８程度
Ｌ３＝空隙部の厚さＬ３０＋ｔ０×８程度
程度となる（図１（ｂ）、図４）。
【００２８】
３．使用時（荷物運搬時）
【００２９】
（１）  縦折り曲げ線で折り曲げると、本体部と補強片を略直角に形成され、把持部予定片５ａ、５ａが重なり開口６、６が連通する把持部５を形成する。この状態で、物品運搬具３０の本体部１Ａの他面２ａ側が凹となるように外を向き、縦折り曲げ線１２に沿ったような曲面に形成され、組み立てられる（図１（ｃ）、図５、図６）。  
把持部予定片５ａ、５ａが重なった状態で、スナップボタン２８、２８ａも互いに係止するので、把持部５が開くおそれを軽減できる。また、近接して配置される切り欠き２７と塞ぎ板１８とに各種連結治具をかければ、本体部１Ａと補強片１Ｂとが角度を保ち、この状態をさらに確実に保持できる。
【００３０】
（２）  また、この状態で、第一荷物係止部２１に荷物３４（任意であるが、ここではスーパーの買い物袋のような柔軟な袋）、第二荷物係止部２３に荷物３４（任意であるが、ここでは紐のついたある程度保形された買い物袋）をかける。荷物３４を載せた場合でも、側縁４が地面３３に直角に近い状態（略鉛直）であれば、本体部１Ａ（基体１）の下縁３ａが地面２２に接地して、キャスター１１の下縁１１は地面３３から上がった状態にあるので、下縁３ａがストッパーとして、この状態を保持できる（図６（ｃ）、図７（ａ））。
【００３１】
（３）  荷物３４、３４を載せた状態で、把持部５を持って、物品運搬具３０を、地面３３と垂直に対して角度３０°程度キャスター１１側（一面２側、補強片１Ｂ側）に傾けると、基体１の下縁３ｂキャスター１１の下縁１１ａが下方になり、さらに、補強片１のテーパー切り欠き４２が形成されているので、キャスター１１、１１のみが地面３３に接地して（下縁３ａが地面３３より上方に位置する）、そのまま引けば、楽に荷物３４を運搬できる（図７（ｂ）、図８）。荷物３４としては、荷物係止部２１、２３に係止できる構造であれば、任意である。  
また、荷物３４は傾けた凹状の本体部１Ａの他面２ａ側に置かれ、また、一般に荷物３４は持ち手（上部）に比べて下部が大きくなるが、この物品運搬具３０では本体部１Ａは凹状に形成されているので、荷物３４を振れることなく安定して運搬できる。また、本体部１Ａはある程度の幅（下端で、Ｄ０−２×Ｄ１）があるので、幅のある荷物も安定して運搬できる。  
また、階段などキャスター１１で接地させることが困難な場所では、一方の指先係止部２４、２５のいずれかに指先を入れれば、容易に物品運搬具３０（荷物３４を係止した状態で）を持ち上げることができる。
【００３２】
（４）  また、本体部１Ａの上端部に形成した小透孔４１にフック類を取り付ければ、さらに多くの荷物を係止できる（図示していない）。  
また、荷物３４を本体部１Ａにより密着させるために、横長開口２９にベルトを通して荷物３４を縛ることもできる（図示していない）。また、同様に、キャスター収容開口１９、切り欠き２６、２７等を単独で又は併用して、荷物３４にベルトや紐をかけることもできる（図示していない）。
【００３３】
（５）  また、荷物３４を係止、あるいは係止しないで、組み上げた状態の物品運搬具３０を立てたまま、テーブル３６等の縁に切り欠き２６を係止することでもできる（図８鎖線図示３６）。
【００３４】
４．他の実施例
【００３５】
（１）前記実施例において、他の構成とすることもできる（図９〜図１１）。この実施例では、
・キャスター取り付け部８に凹凸のキャスター取り付け板９を形成せずに、基体１をそのまま取り付け板９とした。
・キャスター１１の塞ぎ板１８を省略した。  
・縦折り曲げ線１２を曲線ではなく、直線とした。  
・横折り曲げ帯１６を帯状ではなく、線状とした。  
・折り畳み時にキャスター１１を収容するキャスター収容開口１９、キャスター収容凹部１９ａを省略した。  
・切り欠き２６、指先係止部２４、２５を省略した。  
・スナップ片２８、２８ａを省略した。  
・小透孔４１、横長開口２９を省略した。  
とした。従って、使用状態で本体部１Ａに凹面に形成されずに平坦面になる。また、折り畳み時に空隙部３２の厚さＬ３０はキャスター１１の高さになる。
【００３６】
（２）  また、前記実施例において、塞ぎ板１８は、キャスター取り付け部８の上方に形成したが、キャスター取り付け部８で、キャスター１１の外側にそれぞれ形成することもできる（図示していない）。この場合には、塞ぎ板１８に対応させて設けた切り欠き２７も、同様にキャスター取り付け部８の位置に設ける。
【００３７】
（３）  また、前記実施例において、接地部として、キャスター１１を使用したが、地面３３に接地して、物品運搬具３０を摩擦が少なく移動させることができれば、手段は任意である（図示していない）。
【符号の説明】
【００３８】
１      基体
１Ａ    基体の本体部
１Ｂ    基体の補強片
２      基体の一面
２ａ    基体の他面
３      基体の上縁
３ａ    基体の下縁
４      基体の側縁
５      把持部
５ａ    把持部予定片
６      把持部の開口
８      キャスター取り付け部
９      取り付け板（キャスター取り付け部）
１１    キャスター
１１ａ  キャスターの下縁
１２    縦折り曲げ線（縦折り曲げ部）
１３    縦折り曲げ線の上端部
１４    縦折り曲げ線の下端部
１６    横折り曲げ帯（横折り曲げ部）
１８    塞ぎ板
１９    キャスター収容開口
１９ａ  キャスター収容凹部
２１    第一荷物係止部
２２    開口（第一荷物係止部）
２３    第二荷物係止部
２４    指先係止部
２５    指先係止部
２６    切り欠き
２７    切り欠き
２８、２８ａ  スナップ片
２９    横長開口
３０    物品運搬具
３２    空隙部
３３    地面
３４    荷物（物品）
３６    テーブル
４１    小透孔（本体部１Ａ）
４２    テーパー切り欠き（補強片１Ｂ）
【図１】
2010179788.tif 000003
【図２】
2010179788.tif 000004
【図３】
2010179788.tif 000005
【図４】
2010179788.tif 000006
【図５】
2010179788.tif 000007
【図６】
2010179788.tif 000008
【図７】
2010179788.tif 000009
【図８】
2010179788.tif 000010
【図９】
2010179788.tif 000011
【図１０】
2010179788.tif 000012
【図１１】
2010179788.tif 000013